(57)【特許請求の範囲】
【請求項１】
電子書籍のページのうち少なくとも１つのページを表示するステップと；
イベントの発生を検出するステップと；
前記表示された少なくとも１つのページの書式を前記検出されたイベントに対応する書式に変更するステップと；
前記変更前の書式と前記変更後の書式の間の差異を表示するステップと；を含み、
前記差異を表示するステップは、
前記書式の変更によって前記表示されたページからコンテンツが他のページに離脱すれば、前記離脱したコンテンツを含むページのプレビューを前記表示された少なくとも１つのページにオーバーラップして表示するステップをさらに含み、
前記プレビューに表示されるコンテンツは、前記書式の変更によって表示されるページのコンテンツとは異なることを特徴とする、
携帯電子装置のページ表示方法。
【請求項２】
前記差異を表示するステップは、
前記書式の変更によってコンテンツが前記表示された少なくとも１つのページに追加されれば、前記追加されたコンテンツと前記変更前から前記表示されたページに存在する既存コンテンツを表示するステップを含み、
前記追加されたコンテンツと前記既存コンテンツは、互いに区別されることを特徴とする請求項１に記載の方法。
【請求項３】
前記追加されたコンテンツと前記既存コンテンツは、明暗や色相によって区別されることを特徴とする請求項２に記載の携帯電子装置のページ表示方法。
【請求項４】
前記追加されたコンテンツ及び前記既存コンテンツは、識別子を通じて区別されることを特徴とする請求項２に記載の方法。
【請求項５】
前記差異を表示するステップは、
前記書式の変更後にあらかじめ定められた解除条件が満足されれば、前記区別を解除するステップをさらに含むことを特徴とする請求項２に記載の方法。
【請求項６】
前記差異を表示するステップは、
前記プレビューがユーザによって選択されれば、前記プレビューのページを表示するステップをさらに含むことを特徴とする請求項１に記載の方法。
【請求項７】
前記プレビューのページを表示するステップは、
前記離脱したコンテンツと前記変更前から前記プレビューのページに存在した既存コンテンツを表示するステップを含み、
前記離脱したコンテンツと前記既存コンテンツは、互いに区別されることを特徴とする請求項６に記載の方法。
【請求項８】
前記差異を表示するステップは、前記書式の変更後に前記ページのうち少なくとも１つのページめくりのためのイベントが感知されれば、前記ページのうちの他のページを表示するステップをさらに含み、
前記他のページを表示するステップは、
前記書式が変更されるにつれて前記表示されたページから前記他のページに離脱したコンテンツがある場合、前記離脱したコンテンツと前記変更前から前記他のページに存在した既存コンテンツとを表示することを特徴とする請求項２に記載の方法。
【請求項９】
前記書式は、
文字サイズ、フォント、文字の間隔、行間隔、スタイル及びページ方向のうち１つ以上を含むことを特徴とする請求項１に記載の方法。
【請求項１０】
電子書籍のページのうち少なくとも１つのページを表示するステップと；
前記電子書籍のテキストの縮小又は拡大のためのイベントを検出するステップと；
前記イベントに応答して前記テキストを縮小又は拡大するステップと；
前記テキストの縮小によって前記表示された少なくとも１つのページにコンテンツが追加される場合、前記追加されたコンテンツと前記縮小前から前記表示されたページに存在した既存コンテンツを表示するステップと;
前記テキストの拡大によって前記表示された少なくとも１つのページから他のページにコンテンツが離脱する場合、前記離脱したコンテンツを含むプレビューを前記表示されたページにオーバーラップして表示するステップと；を含み、
前記追加されたコンテンツと前記既存コンテンツは、互いに区別され、
前記プレビューに表示されるコンテンツは、前記書式の変更によって表示されるページのコンテンツとは異なることを特徴とする携帯電子装置のページ表示方法。
【請求項１１】
携帯電子装置上に電子書籍の多数のページのうち少なくとも１つのページを表示するための装置において、
書式の変更のリクエストによるイベントを生成する入力部と；
前記多数のページの書式を前記生成されたイベントに対応する書式に変更する制御部と；
前記少なくとも１つのページを表示し、前記変更前の書式と前記変更後の書式の間の差異点を表示する表示部と；を含み、
前記表示部は、
前記書式の変更によって前記表示されたページからコンテンツが他のページに離脱すれば、前記離脱したコンテンツを含むページのプレビューを前記表示されたページにオーバーラップして表示し、
前記プレビューに表示されるコンテンツは、前記書式の変更によって表示されるページのコンテンツとは異なることを特徴とする、
装置。
【請求項１２】
前記制御部は、
前記入力部で生成されたイベントを検出し、
前記検出されたイベントが前記ページの書式を要請するためのイベントであるか否かを判別し、
前記イベントによって前記書式を変更し、
前記変更前の書式と前記変更後の書式の間の差異を表示するように前記表示部に命令することを特徴とする請求項１１に記載の装置。
【請求項１３】
前記表示部は、
前記書式の変更後にページめくりのためのイベントが感知されれば、他のページを表示し、
前記他のページを表示するに際して、前記書式の変更によって前記表示されたページから前記他のページに離脱したコンテンツがある場合、前記離脱したコンテンツと前記変更前から前記他のページに存在した既存コンテンツを表示することを特徴とする請求項１２に記載の装置。
【請求項１４】
携帯電子装置で読み取り可能な記録媒体において、
電子書籍のページを表示する方法が前記記録媒体に収録され、
前記方法が：
電子書籍のページのうち少なくとも１つのページを表示するステップと；
イベントの発生を検出するステップと；
前記表示された少なくとも１つのページの書式を前記検出されたイベントに対応する書式に変更するステップと；
前記変更前の書式と前記変更後の書式の間の差異を表示するステップと；を含み、
前記差異を表示するステップは、
前記書式の変更によって前記表示されたページからコンテンツが他のページに離脱すれば、前記離脱したコンテンツを含むページのプレビューを前記表示された少なくとも１つのページにオーバーラップして表示するステップをさらに含み、
前記プレビューに表示されるコンテンツは、前記書式の変更によって表示されるページのコンテンツとは異なることを特徴とする、
記録媒体。
【発明の詳細な説明】
【技術分野】
【０００１】
本発明は、電子文書の表示可能な携帯電子装置（例えば、Ｅブックタイプリーダー）に関する。詳細には、但し、これに限られず、本発明は、電子書籍リーダー機能を具備した電子装置（例えば、携帯装置）を通じて、表示中の文書と関連したユーザ入力によって、電子文書（例：Eブック）の１つまたはそれ以上のページを表示するための方法及び装置に関する。
【背景技術】
【０００２】
一般的に、電子書籍（ｅ−ｂｏｏｋ）は、テキストやイメージのような情報を電子媒体に記録し、印刷された書籍（ｐｒｉｎｔｅｄ  ｂｏｏｋ）の代わりに利用することができるデジタル図書を総称する。ユーザは、いつでもどこでも、電子書籍リーダー（ｒｅａｄｅｒ）機能を具備した電子装置（例えば、タブレットパソコン、スマートホン、ゲーム装置などのような携帯装置）を通じて電子書籍を購買し読書することができる。一般的に、電子書籍は、印刷された書籍に比べて価格が安い。また、電子書籍表示及び格納装置は、印刷された書籍より小さい空間を占める。したがって、電子書籍の利用者が増加している。
【発明の概要】
【発明が解決しようとする課題】
【０００３】
電子書籍が表示されている間に、電子装置は、ユーザ入力によって、表示されるページの表示書式（ｆｏｒｍａｔ）を変更することができる。例えば、装置は、テキストサイズ、フォントサイズ、行間隔などを変更することができる。これによって、装置は、表示されるページを様々なフォーマットで表示することができる。そのため、もし、ユーザが読んでいた電子書籍の表示フォーマットが変わったら、ユーザは、自分が読んでいた部分、すなわちページや段落または行を見逃してしまい、読んでいる場所や見逃した部分を捜さなければならない。つまり、ユーザにとって煩わしさや不便をもたらしている。
【０００４】
本発明は、電子書籍や電子文書の書式が変更されたとしても、ユーザが、自分が読んでいる場所や見逃した部分を容易に且つ迅速に捜すことができるようにすることを目的とする。
【課題を解決するための手段】
【０００５】
本発明の態様（ａｓｐｅｃｔ）によれば、電子装置（例：携帯電子装置）上に電子文書（例：電子書籍）の少なくとも１つのページを表示する方法が提供される。前記方法は、電子文書の少なくとも１つのページ（例：コンテンツ（ｃｏｎｔｅｎｔ））を表示するステップと；イベントの発生を検出するステップと；前記表示された少なくとも１つのページの書式を前記検出されたイベントに対応する書式に変更するステップと；前記変更前の書式と前記変更後の書式を区別して表示するステップ（例えば、“書式変更前と後に表示されるコンデンツ”と“書式変更前と後に表示されないコンテンツ”をユーザが区別することができるようにユーザに通知（ｉｎｄｉｃａｔｉｏｎ）を提供するステップ；とを含む。
【０００６】
本発明の他の態様によれば、電子装置（例：携帯電子装置）上に電子文書（例：電子書籍）の少なくとも１つのページを表示する装置が提供される。装置は、書式の変更のリクエストによるイベントを生成する入力部と；少なくとも１つのページ（例：コンテンツ）の書式を前記生成されたイベントに対応する書式に変更する制御部と；前記少なくとも１つのページを表示し、前記変更前の書式と前記変更後の書式の間の差異点を表示（例：“書式変更前と後に表示されるコンテンツ”と“書式変更前と後に表示されないコンテンツ”をユーザが区別することができるようにユーザに通知（ｉｎｄｉｃａｔｉｏｎ）を提供）する表示部と；を含む。
【０００７】
本発明の他の態様は、方法及び／または装置が実行されるとき、前述した態様のうち１つを具現化するように設定された命令を含むコンピュータプログラムを提供する。追加的な態様は、このようなコンピュータプログラムを格納した“コンピュータ読み取り可能な格納装置（ｍａｃｈｉｎｅ−ｒｅａｄａｂｌｅ  ｓｔｏｒａｇｅ）”を提供する。
【発明の効果】
【０００８】
以上、本発明によるページ表示方法及び装置によれば、ユーザは、書式を変更してから、ユーザ自身が読んでいた部分を容易で且つ迅速に捜すことができる。
【０００９】
本発明の他の態様、長所そして核心的な特徴は、以下の詳細な説明から本発明の属する技術分野における通常の知識を有する者に自明である。
【図面の簡単な説明】
【００１０】
【図１】本発明の一実施形態による携帯装置の構成を示す図。
【図２】本発明の一実施形態による制御部の構成を示す図
【図３】本発明の一実施形態によるページ表示方法を説明するためのフローチャート
【図４】文字サイズが縮小されるときに、ページを表示する方法を説明するためのフローチャート
【図５】文字サイズが拡大されるときに、ページを表示する方法を説明するためのフローチャート
【図６】本発明の一実施例による縮小されたコンテンツ表示方法を説明するための画面
【図７】本発明の他の実施例による縮小されたコンテンツ表示方法を説明するための画面
【図８】本発明のさらに他の実施例による縮小されたコンテンツ表示方法を説明するための画面
【図９】本発明の一実施例による拡大されたコンテンツ表示方法を説明するための画面
【図１０】本発明の一実施例による拡大されたコンテンツ表示方法を説明するための画面
【図１１】本発明の他の実施例による拡大されたコンテンツ表示方法を説明するための画面
【図１２】本発明のさらに他の実施例による拡大されたコンテンツ表示方法を説明するための画面
【図１３】本発明の一実施例による携帯装置の方向転換を利用したページ表示方法を説明するための画面
【図１４】本発明の他の実施例による携帯装置の方向転換を利用したページ表示方法を説明するための画面
【図１５】本発明のさらに他の実施例による携帯装置の方向転換を利用したページ表示方法を説明するための画面
【発明を実施するための形態】
【００１１】
以下、添付の図面を参照して本発明の好ましい実施形態によってページ表示方法及び装置について詳細に説明する。本発明の詳細な説明に先立って、以下で使用される用語や単語は、通常的または辞書的な意味に限定して解釈されてはならないし、本発明を明確に且つ一貫して理解できるようにするために使用されているのに過ぎない。したがって、本明細書と図面は、本発明の好ましい実施形態を示しているに過ぎないものであって、本発明の技術的思想をすべて代弁するものではない。したがって、本出願時点においてこれらを代替することができる多様な均等物と変形例があり得ることを理解しなければならない。また、添付の図面において一部の構成要素は誇張されるか、省略されるかまたは概略的に図示され、各構成要素のサイズは、実際のサイズを反映するものではない。したがって、本発明は、添付の図面に示された相対的なサイズや間隔によって制限されない。
【００１２】
一般的に、コンテンツは、電子装置（例：携帯電子装置）を通じてユーザに提供される各種情報を意味する。特に本発明において‘コンテンツ’は、電子文書（例：電子書籍（ｅ−ｂｏｏｋ））のページに含まれた情報を意味する。このようなページのコンテンツは、テキスト、イメージ、アイコン、サムネイル（ｔｈｕｍｂｎａｉｌ）及びユーザ入力情報などを含んでもよい。一方、電子文書（例えば、電子書籍）は、分野別に分類されてもよい。ここで、分野は、大きく、書籍（ｂｏｏｋ）、雑誌（ｍａｇａｚｉｎｅ）、新聞（ｎｅｗｓｐａｐｅｒ）、マンガ（ｃｏｍｉｃ）、専門書（ｓｐｅｃｉａｌｔｙ  ｐｕｂｌｉｃａｔｉｏｎ）などが含まれてもよい。このような分野は、さらに詳細に分類されてもよいことは勿論である。例えば、書籍は、小説、随筆、詩などに分類されてもよい。
【００１３】
本発明において‘書式（ｆｏｒｍ）’は、ページのフォーマット（ｆｏｒｍａｔ）を意味する。こ
のような書式は、テキスト（文字）のサイズ、フォント（ｆｏｎｔ）、文字の間隔、行間隔、スタイル及びページ方向などを含んでもよい。ここで、ページ方向は、横方向でも縦方向でもよい。すなわち、電子装置は、ページを縦方向に比べて相対的に横方向に広く表示することができる。また、電子装置は、ページを横方向に比べて相対的に縦方向に狭く表示することができる。
【００１４】
本発明において‘案内（ｇｕｉｄｅ）’は、書式が変更されれば、その前／後の差異をユーザが知ることができるようにする装置の動作（ｐｅｒｆｏｒｍｉｎｇ）を意味する。すなわち書式が変更されれば、装置は、その前／後の差異点をユーザに表示する。例えば、コンテンツの書式が変更されれば、任意のコンテンツ（共通コンテンツ（ｃｏｍｍｏｎ  ｃｏｎｔｅｎｔ））は、変更前と後に表示されてもよい。一方、任意の他のコンテンツ（非共通コンテンツ（ｎｏｎ−ｃｏｍｍｏｎ  ｃｏｎｔｅｎｔ））は、変更前と後に表示されないことがある。変更前と後の書式間の差異点を表示する過程は、例えば、書式が変更された後、ユーザが共通コンテンツと他のコンテンツ（すなわち、非共通コンテンツ）との間の差異を知ることができるようにユーザに通知（ｉｎｄｉｃａｔｉｏｎ）を提供する過程として定義されることができる。
【００１５】
本発明によるページ表示方法及び装置は、電子装置、特にタッチスクリーンを具備した携帯電子装置に適用されることができる。このような携帯電子装置は、携帯電話、スマートホン、タブレットパソコン、ハンドヘルド（ｈａｎｄ−ｈｅｌｄ）パソコン、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）などであってもよいことは自明である。以下の説明では、本発明によるページ表示方法及び装置がタッチスクリーンを具備した携帯電子装置に適用されるものと仮定して説明する。但し、当業者なら本発明によるページ表示方法及び装置が他のタイプの装置にも適用可能なものであると理解することができる。
【００１６】
本発明によるキーパッド表示方法及び装置は、前述したように、書式が変更されれば、その前／後の差異点を、詳細を後述する様々なモードでユーザに表示することを特徴とする。
【００１７】
図１は、本発明の一実施形態による携帯電子装置の構成を示す図である。図１を参照すれば、本発明による携帯電子装置１００は、タッチスクリーン１１０、キー入力部１２０、表示部１３０、格納部１４０、無線通信部１５０、オーディオ処理部１６０、マイクＭＩＣ、スピーカーＳＰＫ、センサー部１７０及び制御部１８０を含んでもよい。
【００１８】
タッチスクリーン１１０は、表示部１３０の前面に装着され、タッチスクリーン１１０に対するユーザのタッチジェスチャーに応答してイベント（例えば、タッチイベント）を発生させて制御部１８０に伝達する。これにより、制御部１８０は、タッチスクリーン１１０から入力されるタッチイベントからユーザのタッチジェスチャーを感知し、感知されたタッチジェスチャーに応答して前述した構成を制御することができる。ここで、タッチジェスチャーの形態は、タッチ（Ｔｏｕｃｈ）、タップ（Ｔａｐ）、ロングタップ（Ｌｏｎｇ  Ｔａｐ）、ドラッグ（Ｄｒａｇ）及びスイープ（Ｓｗｅｅｐ）などに区分することができる。タッチは、ユーザが画面のいずれか一地点を押すタッチジェスチャーである。タップは、いずれか一地点をタッチした後、指の移動なしに当該地点から指を離す、すなわちドロップ（Ｄｒｏｐ）するタッチジェスチャーである。ロングタップは、タップより相対的に長くタッチした後、指の移動なしに当該地点から指を離すタッチジェスチャーである。ドラッグは、いずれか一地点をタッチした状態で指を所定方向に移動させるタッチジェスチャーである。スイープは、フリック（Ｆｌｉｃｋ）とも言い、指を弾くように早く移動させた後、離すタッチジェスチャーである。一方、タッチスクリーン１１０は、抵抗膜方式（ｒｅｓｉｓｔｉｖｅ  ｔｙｐｅ）、静電容量方式（ｃａｐａｃｉｔｉｖｅ  ｔｙｐｅ）、電磁誘導方式（ｅｌｅｃｔｒｏｍａｇｎｅｔｉｃｉｎｄｕｃｔｉｏｎ  ｔｙｐｅ）などが適用されてもよい。
【００１９】
キー入力部１２０は、数字または文字情報を入力され、各種機能を設定するための多数の入力キー及び機能キーを含むことができる。機能キーは、特定機能を行うように設定された方向キー、サイドキー及びショートカットキーなどを含んでもよい。また、キー入力部１２０は、ユーザ設定及び携帯電子装置１００の機能制御と関連したキーイベントを生成し、制御部１８０に伝達する。キーイベントは、電源オン／オフイベント、ボリューム調節イベント、画面オン／オフイベントなどに区分することができる。制御部１８０は、このようなキーイベントに応答して前記した構成を制御することができる。
【００２０】
表示部１３０は、制御部１８０の制御の下に、制御部１８０から入力されたデジタル形態のデータをアナログ形態に変換して表示する。すなわち、表示部１３０は、携帯装置の利用による多様な画面、例えば、ロック画面、ホーム画面、アプリケーション（以下、アプリ（Ａｐｐ）と略称する）実行画面などを表示することができる。ロック画面は、表示部１３０の画面がオンとされれば、表示される映像として定義されてもよい。ロック解除のためのタッチジェスチャーが感知されれば、制御部１８０は、表示される映像をロック画面からホーム画面またはアプリ実行画面などに転換することができる。ホーム画面は、多数のアプリにそれぞれ対応する多数のアプリアイコンを含む映像として定義されることができる。多数のアプリアイコンのうちいずれか１つがユーザによって選択されれば、制御部１８０は、当該アプリを実行する。そして、表示部１３０は、選択されたアプリの実行画面を表示する。
【００２１】
また、表示部１３０は、制御部１８０の制御の下に、前記画面のうちいずれか１つをメイン画面で表示し、他の１つの画面をサブ画面として前記メイン画面にオーバーラップして表示することができる。例えば、表示部１３０は、ページを表示し、その上に書式の変更のためのポップアップウインドウを表示することができる。
【００２２】
ページの書式変更が実行されれば、表示部１３０は、制御部１８０の制御の下に、変更前の書式と変更後の書式の差異をユーザに表示する。例えば、書式変更前に、表示部１３０は、まず、ターゲット（ｔａｒｇｅｔ）ページのコンテンツを表示する。書式が変更されれば、他のページのコンテンツが他のターゲットページに追加される。このような書式変更によって、表示部１３０は、書式変更後、追加されたコンテンツを変更前からターゲットページにあったコンテンツと区別して表示する。ここで、ターゲットページは、書式の変更前後に表示されるページを意味する。一方、書式の変更によってターゲットページから一部のコンテンツが他のページに離脱するようになれば、表示部１３０は、プレビュー（ｐｒｅｖｉｅｗ）をターゲットページの上に表示することができる。ここで、プレビューは、離脱したコンテンツを含むページのプレビューを意味する。
【００２３】
また、表示部１３０は、液晶表示装置（Ｌｉｑｕｉｄ  Ｃｒｙｓｔａｌ  Ｄｉｓｐｌａｙ：ＬＣＤ）、ＯＬＥＤ（Ｏｒｇａｎｉｃ  Ｌｉｇｈｔ  Ｅｍｉｔｔｅｄ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ）などの平板表示パネルの形態で形成されてもよい。
【００２４】
格納部１４０は、携帯電子装置のオペレーティングシステム（ＯＳ；Ｏｐｅｒａｔｉｎｇ  Ｓｙｓｔｅｍ）及び多様なアプリケーションを含めて、テキスト、オーディオ及びビデオなどのような多様なデータを格納することができる。格納部１４０は、大きく、データ領域とプログラム領域を含んでもよい。
【００２５】
格納部１４０のデータ領域は、携帯電子装置１００の使用によって携帯電子装置１００で生成されるか、または外部からダウンロードされたデータを格納することができる。また、データ領域は、表示部１３０によって表示される前述した画面、そして携帯電子装置のオペレーションのための多様な設定値を格納することができ、貼り付けなどのためにコピーされたデータを臨時格納してもよい。特にデータ領域は、多数の電子書籍１４１を格納することができる。そして、データ領域は、格納された多数の電子書籍１４１それぞれに対する読書現況情報を格納することができる。ここで、読書現況情報は、読んだページ、読んだ日付、読まないページ、ユーザ入力情報などを含むことができる。ここで、ユーザ入力情報は、ユーザが別にページに入力した情報として定義することができる。例えば、ユーザ入力情報は、メモ、ハイライト、イメージ、しおりなどになることができる。このようなユーザ入力情報は、これらの関連ページが表示されるまで表示されてもよい。
【００２６】
格納部１４０のプログラム領域は、携帯電子装置の起動及び前述した携帯電子装置１００の各構成の運用のためのオペレーティングシステム（ＯＳ、Ｏｐｅｒａｔｉｎｇ  Ｓｙｓｔｅｍ）と多様なアプリケーションを格納することができる。特に、プログラム領域は、電子書籍アプリケーション１４２を格納することができる。そして、電子書籍アプリケーション１４２は、書式が変更されれば、その前／後の差異点をユーザに表示する機能を具備することができる。
【００２７】
無線通信部１５０は、制御部１８０の制御の下に、音声通話、画像通話、データ通信及びデジタル放送受信を行うことができる。このために、無線通信部１５０は、移動通信モジュール（例えば、第３世代（３−Ｇｅｎｅｒａｔｉｏｎ）移動通信モジュール、第３．５（３．５−Ｇｅｎｅｒａｔｉｏｎ）世代移動通信モジュールまたは第４（４−Ｇｅｎｅｒａｔｉｏｎ）世代移動通信モジュールなど）、近距離通信モジュール（例えば、ワイファイ（Ｗｉ−Ｆｉ）モジュール）及びデジタル放送モジュール（例えば、ＤＭＢモジュール）を含むことができる。
【００２８】
オーディオ処理部１６０は、制御部１８０の制御の下に、制御部１８０から入力されたデジタル形態のオーディオをアナログ形態のオーディオに変換し、スピーカーＳＰＫに伝送し、マイクＭＩＣから入力された音声などのアナログ形態のオーディオをデジタル形態のオーディオに変換し、制御部１８０に伝達する機能を行う。
【００２９】
センサー部１７０は、携帯電子装置１００の位置及び方向の変化と関連した情報を感知し、感知された情報を制御部１９０に伝達する。このような機能のために、センサー部１７０は、加速度センサーなどを含んでもよい。センサー部１７０は、感知された物理量を電気的な信号に変換し、変換された電気信号をさらに感知データにＡＤ（Ａｎａｌｏｇ  ｔｏ  Ｄｉｇｉｔａｌ）変換し、制御部１８０に伝達する。携帯電子装置１００の方向が転換されれば、制御部１８０は、これに応答してページの書式を変更することができる。当業者は、表示された電子文書の書式が多様な方法によるきっかけ（ｔｒｉｇｇｅｒ）によって変更されることができるものと理解することができる。例えば、ユーザインターフェース（例：メニュー）を用いたユーザ選択によって、制御部１８０は、ページの書式を変更することができる。ボタンまたはキーを利用したユーザ入力によって、制御部１８０は、ページの書式を変更することができる。制御部１８０は、ソフトウェア状態変化に基づいてページの書式を自動に変更することができる。
【００３０】
制御部１８０は、携帯電子装置１００の全般的な動作及び携帯電子装置１００の内部構成間の信号フローを制御し、データを処理する機能を実行することができる。そして、制御部１８０は、バッテリーから内部構成への電源供給を制御することができる。また、制御部１８０は、プログラム領域に格納された各種アプリケーションを実行することができる。特に、本発明による制御部１８０は、書式の変更を要請するイベントを感知し、感知されたイベントに応答して書式を変更する。そして、制御部１８０は、書式変更前／後の差異点を表示するように表示部１３０を制御する。
【００３１】
図２は、本発明の一実施形態による制御部の構成を示す図である。図２を参照すれば、本発明による制御部１８０は、イベント感知部１８１、イベント判別部１８２及びページ表示制御部１８３を含む。
【００３２】
イベント感知部１８１は、タッチスクリーン１１０、キー入力部１２０及びセンサー部１７０と接続され、接続されたものからイベントを感知する。すなわちイベント感知部１８１は、タッチスクリーン１１０に対するユーザのタッチジェスチャーを感知し、感知されたタッチジェスチャーをイベント判別部１８２に伝達する。また、イベント感知部１８１は、キー入力部１２０に対するユーザのキー操作を感知し、感知されたキー操作をイベント判別部１８２に伝達する。また、イベント感知部１８１は、センサー部１７０が感知した携帯電子装置１００の位置及び姿勢の変化と関連した情報をセンサー部１７０から受信し、受信された情報をイベント判別部１８２に伝達する。
【００３３】
イベント判別部１８２は、イベント感知部１８１から受信されたイベントの意味を判別する機能を行う。特に、イベント判別部１８２は、受信されたイベントが書式変更のリクエストと関連したイベントであるか否かを判別する。受信されたイベントが書式変更のリクエストと関連したイベントとして判別されれば、イベント判別部１８２は、受信されたイベントをページ表示制御部１８３に伝達する。
【００３４】
ページ表示制御部１８３は、格納部１４０からページを受信する。そして、ページ表示制御部１８３は、ページを表示するように表示部１３０を制御する。また、ページ表示制御部１８３は、書式変更のリクエストと関連したイベントをイベント判別部１８２から受信する。ページ表示制御部１８３は、このようなイベントに応答してページの書式を変更する。そして、ページ表示制御部１８３は、書式変更されたページを表示するように表示部１３０を制御する。また、ページ表示制御部１８３は、書式変更前／後の差異点を表示するように表示部１３０を制御する。書式の変更によって他のページの一部コンテンツがターゲットページに追加されれば、ページ表示制御部１８３は、追加されたコンテンツを変更前からターゲットページに存在したコンテンツと区別して表示するように制御する。逆に、書式の変更によってターゲットページから一部のコンテンツが他のページに離脱するようになれば、ページ表示制御部１８３は、プレビューをページにオーバーラップして表示するように制御する。
【００３５】
デジタル機器のコンバージェス（ｃｏｎｖｅｒｇｅｎｃｅ）傾向によって変形が非常に多様で、すべて列挙することはできないが、本発明による携帯電子装置１００は、ＧＰＳモジュール及びカメラモジュールなどのように前述されない構成をさらに含むことができる。また、本発明の携帯電子装置１００は、その提供形態によって前述した構成から特定構成が除外されるか、または他の構成に代替されてもよいことは勿論である。また、本発明において入力部は、前述したタッチスクリーン１１０及びキー入力部１２０以外に、タッチパッド、トラックボール、キーボードなどであってもよいることは勿論である。
【００３６】
図３〜図５は、前述した携帯電子装置１００によって行われるページ表示方法を説明するためのフローチャートである。
【００３７】
図３は、本発明の一実施形態によるページ表示方法を説明するためのフローチャートである。
【００３８】
図３を参照すれば、ステップ３０１で、表示部１３０は、ページを表示する。ページが表示される中に、ステップ３０２で、制御部１８０は、書式の変更を要請するイベントを感知する。このようなイベントが感知されれば、ステップ３０３で、制御部１８０は、ページの書式を感知されたイベントに対応する書式に変更する。このように書式が変更されれば、全体コンテンツが再分配される。したがって、ターゲットページから一部のコンテンツが他のページに離脱させるか、またはその反対に他のページの一部のコンテンツがターゲットページに追加することができる。
【００３９】
ステップ３０４で、制御部１８０は、変更前／後の差異点をユーザが認知することができるように案内する。すなわちターゲットページにコンテンツが追加されれば、制御部１８０は、追加されたコンテンツと元々存在したコンテンツを区別して表示するように制御する。そして、制御部１８０は、あらかじめ定められた解除条件が満足されれば、すなわち一定時間が経過するか、区別の解除を要請（例えば、書式間の差異をこれ以上示さないようなリクエスト）するイベントが検出されれば、区別を解除することができる。例えば、変更前と後の書式の間の差異点がこれ以上表示されない。ここで、区別方法とは、具体的には、追加されたコンテンツと既存のコンテンツの色相または明暗などを異なるようにする方法であってもよい。また、既存のコンテンツと追加されたコンテンツの間の差異点をユーザが認知することができるようにする別途の識別子（ｍａｒｋｅｒ）を表示する方法であってもよい。例えば、識別子は、追加されたコンテンツの既存のコンテンツの間の境界を示してもよい。
【００４０】
一方、ターゲットページから一部のコンテンツが離脱すれば、制御部１８０は、プレビューをターゲットページにオーバーラップして表示するように制御する。そして、制御部１８０は、一定時間が経過するか、プレビュー表示解除を要請するイベントが感知されれば、プレビューの表示を終了する。一方、書式は、文字サイズ、フォント、文字の間隔、行間隔、スタイル及びページ方向など多様である。以下では、具体的に文字サイズを変更するものと仮定して説明する。
【００４１】
図４は、文字サイズが縮小されるときに、ページを表示する方法を説明するためのフローチャートである。図４を参照すれば、ステップ４０１で、表示部１３０は、ページを表示する。ページが表示される間に、ステップ４０２で、制御部１８０は、文字サイズの変更を要請するイベントを感知する。ステップ４０３で、感知されたイベントが縮小リクエストを意味するものと判別されれば、ステップ４０４で、制御部１８０は、縮小リクエストに応答して文字サイズを縮小する。そして、ステップ４０５で、制御部１８０は、文字サイズの縮小後に追加されたコンテンツを元々存在したコンテンツと区別されるように案内する。図５は、文字サイズが拡大されるときに、ページを表示する方法を説明するためのフローチャートである。図５を参照すれば、ステップ５０１で、表示部１３０は、ページを表示する。ページが表示される間に、ステップ５０２で、制御部１８０は、文字サイズの変更を要請するイベントを感知する。ステップ５０３で、感知されたイベントが拡大リクエストを意味するものと判別されれば、ステップ５０４で、制御部１８０は、拡大リクエストに応答して文字サイズを拡大する。そして、ステップ５０５で、制御部１８０は、文字サイズの拡大によってターゲットページでプレビューを表示するように制御する。
【００４２】
図６〜図１５は、前述した携帯電子装置１００を基盤として本発明によるページ表示方法及び装置についてさらに具体的に説明するための画面例示図である。
【００４３】
図６は、本発明の一実施例による縮小されたコンテンツ表示方法を説明するための画面である。図６（ａ）を参照すれば、制御部１８０は、書式ボタン６１０に対するユーザのタップを感知する。そして、制御部１８０は、書式ボタン６１０に対するタップに応答して書式設定メニュー６２０を呼び出す。書式設定メニュー６２０には、図示のように、文字サイズを設定するための多数のボタンと、文字間隔を設定するための多数のボタンと、文字のフォントを設定するための多数のボタンを含む。また、書式設定メニュー６２０で現在設定された文字サイズ及び間隔に該当するボタン６２１、６２２は、図示のように、他のボタンより濃く表示されてもよい。ユーザが現在設定されたボタン６２１より一段階低いボタン６２３をタップすると、制御部１８０は、ボタン６２３に対するタップに応答して文字サイズを一段階縮小する。そして、制御部１８０は、縮小された文字サイズに基づいて全体コンテンツを再分配する。これにより、全体ページの数は減少するようになり、ターゲットページには、既存のコンテンツとともに、他のページにあった一部のコンテンツが追加される。この際、表示部１３０は、図６（ｂ）に示されたように、追加されたコンテンツと既存のコンテンツを明暗で区分して表示する。再分配後、ユーザがページをタップすると、制御部１８０は、図６（ｃ）に示されたように、書式設定メニュー６２０の表示を終了する。書式設定メニュー６２０の表示終了後、一定時間（例えば、１秒）が経過すれば、制御部１８０は、図６（ｄ）に示されたように、明暗による区分を終了する。
【００４４】
図７は、本発明の他の実施例による縮小されたコンテンツ表示方法を説明するための画面である。前述したような明暗や色相区分は、ユーザの目に障ることがある。したがって、本発明は、ユーザの目に障らないようにコンテンツを区別する方法を提供する。すなわち図７を参照すれば、表示部１３０は、制御部１８０の制御の下に、既存のコンテンツの開始地点と終了地点にそれぞれ２つの識別子７１０、７２０を表示する。このような識別子７１０、７２０は、前述したように、書式設定メニュー６２０の表示終了後、一定時間が経過すれば、自動で消えてもよい。
【００４５】
図８は、本発明のさらに他の実施例による縮小されたコンテンツ表示方法を説明するための画面である。図８（ａ）を参照すれば、表示部１３０は、書式設定メニュー８１０を表示する。このような状態で、ユーザが現在設定された文字サイズのボタン８１１より一段階低いボタン８１２をタップすると、制御部１８０は、図８（ｂ）に示されたように、文字サイズを一段階縮小する。このような状態で、ユーザが一段階さらに低いボタン８１３をタップすると、制御部１８０は、図８（ｃ）に示されたように、文字サイズを一段階さらに縮小する。ここで、追加されたコンテンツは、すべて既存のコンテンツ、すなわち文字サイズが縮まる前に表示されたコンテンツと区別される。
【００４６】
図９及び図１０は、本発明の一実施例による拡大されたコンテンツ表示方法を説明するための画面である。図９（ａ）を参照すれば、表示部１３０は、書式設定メニュー９１０を表示する。ここで、書式設定メニュー９１０は、図示のように‘ページプレビュー’がチェックされている状態である。このような状態で、ユーザが現在設定された文字サイズのボタン９１１より一段階高いボタン９１２をタップすると、制御部１８０は、ボタン９１２に対するタップに応答して文字サイズを一段階拡大する。そして、制御部１８０は、拡大された文字サイズに基づいて全体コンテンツを再分配する。これにより、全体ページの数は増加するようになり、ターゲットページから一部のコンテンツが他のページに離脱するようになる。この際、表示部１３０は、図９（ｂ）に示されたように、第１及び第２プレビュー９２１、９２２をターゲットページの左／右側の下端にオーバーラップして表示する。ここで、第１プレビュー９２１は、以前ページのプレビューを意味し、第２プレビュー９２２は、次のページのプレビューを意味する。第１及び第２プレビュー９２１、９２２において、ターゲットページから離脱したコンテンツは、図示のように、他のコンテンツと区別されるように表示される。このようにプレビュー表示後、ユーザがターゲットページを読むために、ターゲットページをタップすると、制御部１８０は、図９（ｃ）に示されたように、書式設定メニュー９１０、第１プレビュー９２１及び第２プレビュー９２２の表示を終了する。一方、ユーザがターゲットページではない第２プレビュー９２２のページを読むために、第２プレビュー９２２をタップすると、制御部１８０は、図１０（ａ）に示されたように、次のページを表示するように制御する。この際、ターゲットページから次のページに離脱したコンテンツは、次のページに元々あったコンテンツと区別される。図１０（ｂ）に示されたように、このような区別は、一定時間が経過すれば終了してもよい。
【００４７】
図１１は、本発明の他の実施例による拡大されたコンテンツ表示方法を説明するための画面である。図１１（ａ）を参照すれば、表示部１３０は、書式設定メニュー１１１０を表示する。ここで、書式設定メニュー１１１０は、図示のように‘ページプレビュー’がチェックされていない状態である。このような状態で、ユーザが現在設定された文字サイズのボタン１１１１より一段階高いボタン１１１２をタップすると、制御部１８０は、文字サイズを一段階拡大する。この際、プレビューは、図１１（ｂ）に示されたように、表示されない。何故なら、ページプレビューがチェックされていないからである。文字の拡大後、ユーザがターゲットページをタップすると、制御部１８０は、図１１（ｃ）に示されたように、書式設定メニュー１１１０の表示を終了するように表示部１３０を制御することができる。その後、ユーザがページをめくるためにフリックすれば、制御部１８０は、次のページを表示するように制御する。この際、次のページにおいて、ターゲットページから離脱したコンテンツは、図１１（ｄ）に示されたように、次のページに元々あったコンテンツと区別される。このような区別は、一定時間が経過すれば、終了してもよい。
【００４８】
図１２は、本発明のさらに他の実施例による拡大されたコンテンツ表示方法を説明するための画面である。図１２（ａ）を参照すれば、表示部１３０は、書式設定メニュー１２１０を表示する。ここで、書式設定メニュー１２１０は、図示のように、‘ページプレビュー’がチェックされている状態である。この状態で、ユーザが現在設定された文字サイズのボタン１２１１より一段階高いボタン１２１２をタップするようになれば、制御部１８０は、図１２（ｂ）に示されたように、文字サイズを一段階拡大してプレビューを表示するように制御する。そして、ユーザが一段階さらに高いボタン１２１３をタップするようになれば、制御部１８０は、図１２（ｃ）に示されたように、文字サイズを一段階さらに拡大してプレビューを表示するように制御する。この際、文字が拡大された程度によってプレビューは多数生成されることがある。ところが、プレビューは、ターゲットページの左／右側にそれぞれ１つだけ表示される。したがって、その他のプレビューは、指示子（ｉｎｄｉｃａｔｏｒ）１２２０が代行する。すなわちユーザが指示子１２２０をタップすれば、制御部１８０は、他のプレビューを表示するように制御する。
【００４９】
一方、書式の変更は、前述したように、書式設定メニューを通じてユーザによって行われるとともに、携帯電子装置１００の方向転換によって自動で行われてもよい。
【００５０】
図１３は、本発明の一実施例による携帯装置の方向転換を利用したページ表示方法を説明するための画面である。図１３（ａ）を参照すれば、携帯電子装置１００は、横方向に配置された状態である。すなわち携帯電子装置１００は、横方向にページを広く表示する。また、図示されてはないが、書式設定メニューでページプレビューは、チェックされている状態である。このような状態で、ユーザによって携帯電子装置１００が縦方向に転換されれば、制御部１８０は、センサー部１７０を通じてこのような方向転換を感知する。そして、制御部１８０は、方向転換に応答してページの書式を変更する。すなわち制御部１８０は、ページの方向を横から縦に変更する。このように縦方向に変更されれば、ターゲットページから一部のコンテンツが他のページに離脱することがある。したがって、制御部１８０は、図１３（ｂ）に示されたように、プレビューを表示するように制御する。
【００５１】
図１４は、本発明の他の実施例による携帯装置の方向転換を利用したページ表示方法を説明するための画面である。図１４（ａ）を参照すれば、携帯電子装置１００は、横方向にページを広く表示する。また、書式設定メニューでページプレビューは、チェックされていない状態である。このような状態で、ユーザによって携帯電子装置１００が縦方向に転換されれば、制御部１８０は、センサー部１７０を通じて方向転換を感知する。そして、制御部１８０は、このような方向転換に応答してページの方向を横から縦に変更する。この際、プレビューは、図１４（ｂ）に示されたように表示されない。何故なら、ページプレビューがチェックされていないからである。以後、ユーザがページをめくるためにフリックすれば、制御部１８０は、次のページを表示するように制御する。この際、ターゲットページから次のページに離脱したコンテンツは、図１４（ｃ）に示されたように、次のページに元々あったコンテンツと区別される。このような区別は、一定時間が経過すれば終了してもよい。
【００５２】
図１５は、本発明のさらに他の実施例による携帯装置の方向転換を利用したページ表示方法を説明するための画面である。図１５（ａ）を参照すれば、携帯電子装置１００は、縦方向にページを狭く表示する。このような状態で、ユーザによって携帯電子装置１００が横方向に転換されれば、制御部１８０は、センサー部１７０を通じて方向転換を感知する。そして、制御部１８０は、このような方向転換に応答してページの方向を縦から横に変更する。このように、横方向に変更されれば、他のページの一部のコンテンツがターゲットページに追加されてもよい。したがって、制御部１８０は、図１５（ｂ）に示されたように、２つのコンテンツを区別して表示するように制御する。
【００５３】
前述したような本発明によるページ表示方法は、多様なコンピュータを通じて行われることができるプログラム命令で具現化され、コンピュータで読み取り可能な記録媒体に記録されることができる。ここで、記録媒体は、プログラム命令、データファイル、データ構造などを含むことができる。また、プログラム命令は、本発明のために特別に設計され構成されたものであるか、コンピュータソフトウェア当業者に公知されて使用可能なものであってもよい。また、記録媒体には、ハードディスク、フロッピー（登録商標）ディスク及び磁気テープのような磁気媒体（Ｍａｇｎｅｔｉｃ  Ｍｅｄｉａ）と、ＣＤ−ＲＯＭ、ＤＶＤのような光記録媒体（Ｏｐｔｉｃａｌ  Ｍｅｄｉａ）と、フロプチカルディスク（ＦｌｏｐｔｉｃａｌＤｉｓｋ）のような磁気−光媒体（Ｍａｇｎｅｔｏ−Ｏｐｔｉｃａｌ  Ｍｅｄｉａ）と、ROM（Ｒｅａｄ  Ｏｎｌｙ  Ｍｅｍｏｒｙ）と、ＲＡＭと、フラッシュメモリなどのようなハードウェア装置が含まれてもよい。また、プログラム命令には、コンパイラーによって作われるもののような機械語コードだけでなく、インタプリターなどを使用してコンピュータによって実行されることができる高級言語コードが含まれてもよい。ハードウェア装置は、本発明を行うために１つ以上のソフトウェアモジュールとして作動するように構成されてもよい。
【００５４】
本発明によるページ表示方法及び装置は、前述した実施形態に限定されず、本発明の技術思想が許容する範囲で多様に変形して実施されてもよい。
【図１】
0006293059.tif 000002
【図２】
0006293059.tif 000003
【図３】
0006293059.tif 000004
【図４】
0006293059.tif 000005
【図５】
0006293059.tif 000006
【図６】
0006293059.tif 000007
【図７】
0006293059.tif 000008
【図８】
0006293059.tif 000009
【図９】
0006293059.tif 000010
【図１０】
0006293059.tif 000011
【図１１】
0006293059.tif 000012
【図１２】
0006293059.tif 000013
【図１３】
0006293059.tif 000014
【図１４】
0006293059.tif 000015
【図１５】
0006293059.tif 000016